(57)【要約】【課題】玉貸機やメダル貸機等の設置位置の影響を受けることなく、設置が容易である紙幣搬送装置を得る。【解決手段】複数並べられた遊技機１に応じて設けられた投入口６から投入された紙幣４を遊技機１の列方向に設けられた搬送通路１０に沿って搬送する紙幣搬送装置において、投入口６から投入された紙幣４を搬送通路１０と平行に立てると共に、搬送通路１０からはなれた位置に保持する保留部８を搬送通路１０に沿って設ける。紙幣４を搬送通路１０と平行に立てて載置され搬送通路１０を移動する搬送台２４を設けると共に、搬送台２４に紙幣４を搬送方向の後側から押す張出部材５２を設け、張出部材５２は搬送台２４の移動により保留部８の紙幣４を搬送台２４上に押し出すと共に、搬送台２４上の紙幣４に重ね合わせる。【選択図】　図１
2004078353.tif 000002
【特許請求の範囲】
【請求項１】
複数並べられた遊技機に応じて設けられた投入口から投入された紙幣を前記遊技機の列方向に設けられた搬送通路に沿って搬送する紙幣搬送装置において、
前記投入口から投入された前記紙幣を前記搬送通路と平行に立てると共に、前記搬送通路から離れた位置に保持する保留部を前記搬送通路に沿って設け、
また、前記紙幣を前記搬送通路と平行に立てて載置され前記搬送通路を移動する搬送台を設けると共に、前記搬送台に前記紙幣を搬送方向の後側から押す張出部材を設け、
かつ、前記張出部材は前記搬送台の移動により前記保留部の紙幣を搬送方法前側に向かって前記保留部から前記搬送台上に押し出すと共に、前記搬送台上の前記紙幣に重ね合わせることを特徴とする紙幣搬送装置。
【請求項２】
前記搬送台は往復動されることを特徴とする請求項１記載の紙幣搬送装置。
【請求項３】
前記保留部は前記搬送通路の両側に設けられると共に、前記搬送台には、両側の前記保留部からの前記紙幣を前記張出部材により前記搬送台上に押し出すことを特徴とする請求項１又は請求項２記載の紙幣搬送装置。
【請求項４】
前記張出部材を前記搬送台に揺動可能に設け、前記紙幣を搬送する往動時には、前記張出部材を押出位置に揺動させ、復動時には、前記張出部材を退避位置に揺動させることを特徴とする請求項１ないし請求項３記載の紙幣搬送装置。
【請求項５】
前記保留部には、複数の前記紙幣を保持可能なことを特徴とする請求項１ないし請求項４記載の紙幣搬送装置。
【発明の詳細な説明】
【０００１】
【発明の属する技術分野】
本発明は、パチンコ店等の遊技場内に、複数並べられた遊技機に応じて設けられた玉貸機、メダル貸機等の投入口に投入された紙幣を搬送する紙幣搬送装置に関する。
【０００２】
【従来の技術】
従来より、遊技機の間に設けられた玉貸機、メダル貸機等の投入口に投入された紙幣を搬送する紙幣搬送装置として、例えば、特開平３−６２２９４号公報にあるものが知られている。この紙幣搬送装置は、紙幣投入口に投入された紙幣を一旦仮保持部に保持する。仮保持部には複数枚の紙幣を保持することができ、この仮保持部の紙幣を搬送箱に押し出して、搬送ベルトに固定された搬送箱を遊技機の列方向に移動させて、紙幣を搬送するようにしている。
【０００３】
【発明が解決しようとする課題】
しかしながら、こうした従来のものでは、搬送箱を仮保持部に応じた位置に停止させて、仮保持部から紙幣を搬送箱に押し出しているので、搬送箱を仮保持部毎に停止させる制御をしなければならない。即ち、各仮保持部毎に搬送箱を停止させて、紙幣を移し替えるので、玉貸機やメダル貸機の設置位置に応じて、搬送箱の停止位置の調整をしなければならず、設置が煩わしいという問題があった。
【０００４】
本発明の課題は、玉貸機やメダル貸機等の設置位置の影響を受けることなく、設置が容易である紙幣搬送装置を提供することにある。
【０００５】
【課題を解決するための手段】
かかる課題を達成すべく、本発明は課題を解決するため次の手段を取った。即ち、
複数並べられた遊技機に応じて設けられた投入口から投入された紙幣を前記遊技機の列方向に設けられた搬送通路に沿って搬送する紙幣搬送装置において、
前記投入口から投入された前記紙幣を前記搬送通路と平行に立てると共に、前記搬送通路から離れた位置に保持する保留部を前記搬送通路に沿って設け、
また、前記紙幣を前記搬送通路と平行に立てて載置され前記搬送通路を移動する搬送台を設けると共に、前記搬送台に前記紙幣を搬送方向の後側から押す張出部材を設け、
かつ、前記張出部材は前記搬送台の移動により前記保留部の紙幣を搬送方法前側に向かって前記保留部から前記搬送台上に押し出すと共に、前記搬送台上の前記紙幣に重ね合わせることを特徴とする紙幣搬送装置がそれである。
【０００６】
前記搬送台は往復動されるものでもよい。また、前記保留部は前記搬送通路の両側に設けられると共に、前記搬送台には、両側の前記保留部からの前記紙幣を前記張出部材により前記搬送台上に押し出すようにしてもよい。更に、前記張出部材を前記搬送台に揺動可能に設け、前記紙幣を搬送する往動時には、前記張出部材を押出位置に揺動させ、復動時には、前記張出部材を退避位置に揺動させるようにしてもよい。また、前記保留部には、複数の前記紙幣を保持可能な構成としてもよい。
【０００７】
【発明の実施の形態】
以下本発明の実施の形態を図面に基づいて詳細に説明する。
図１に示すように、１は遊技機で、例えば、パチンコ機やパチスロ機等であり、遊技機１は複数並べられて設置されると共に、本実施形態では、背中合わせに２列に設置されている。
【０００８】
また、各遊技機１に応じて、その間には、玉貸機やメダル貸機等の貸機２が設置されており、貸機２には紙幣４を投入する投入口６が設けられている。投入口６に投入された紙幣４は、図示しないローラ等の回転により、貸機２毎に設けられた保留部８に移送される。
【０００９】
遊技機１の列方向と平行に搬送通路１０が設けられており、搬送通路１０は、２列の遊技機１の間に設けられている。保留部８は、搬送通路１０に沿って設けられており、保留部８は、投入口６に投入された紙幣４を遊技機１の列方向と平行に立てた状態で保持することができるように構成されている。
【００１０】
本実施形態では、図４に示すように、保留部８は、一対の押込ローラ１２，１４を備え、押込ローラ１２，１４は搬送通路１０の方向と平行に、所定間隔を開けて、上下に並べて配置されている。押込ローラ１２，１４には、搬送通路１０の方向に沿って溝１２ａ，１４ｂが向い合わせに形成されている。
【００１１】
両押込ローラ１２，１４は、両溝１２ａ，１４ａに紙幣４を挿入可能な間隔に配置されている。両溝１２ａ，１４ａには、長方形の紙幣４の長辺側が挿入されて、紙幣４を搬送通路１０の方向と平行に、立てた状態で挿入されるように構成されている。そして、投入口６から投入された紙幣４は、図示しないローラにより移送され、その方向を搬送通路１０の方向と平行な方向に替えて、両溝１２ａ，１４ａに挿入される。
【００１２】
また、両押込ローラ１２，１４には、両押込ローラ１２，１４に沿ってＬ字形の保持部材１６，１８が支持軸２０，２２の廻りに揺動可能に設けられている。両保持部材１６，１８は図示しないスプリングの付勢力により両押込ローラ１２，１４に接触するように付勢されて、押込ローラ１２，１４と保持部材１６，１８との間に複数枚の紙幣４を挟み込むことができるように構成されている。
【００１３】
両保持部材１６，１８は、後述する張出部材５２が通過できるように、上下方向に間隔を開けて配置されている。そして、両溝１２ａ，１４ａに紙幣４が挿入された状態で、両押込ローラ１２，１４が互いに逆方向に回転されると、図５に示すように、両溝１２ａ，１４ａから保持部材１６，１８側に紙幣４が押し出される。更に、両押込ローラ１２，１４が１回転したときには、紙幣４は両押込ローラ１２，１４と両保持部材１６，１８との間に挟み込まれて、紙幣４を搬送通路１０に沿って立てた状態で保持すると共に、搬送通路１０から所定距離離れた位置に保持するように構成されている。
【００１４】
尚、本実施形態では、押込ローラ１２，１４を回転駆動する図示しない駆動モータは、図示しないワンウェイクラッチを介して押込ローラ１２，１４を駆動し、駆動モータが逆方向に回転された際には、紙幣４を移送する図示しないローラを回転駆動するように構成されている。
【００１５】
両押込ローラ１２，１４、保持部材１６，１８は開閉部材２３に配置されており、開閉部材２３は、図３に示すように、支点軸２３ａの廻りに揺動可能に支持されている。図３に二点鎖線で示すように、開閉部材２３を支点軸２３ａの廻りに揺動させたときには、両押込ローラ１２，１４と両保持部材１６，１８との間に挟み込まれた紙幣４を手で掴んで取り出すことができるように構成されている。
【００１６】
一方、搬送通路１０には、搬送台２４が移動可能に設けられている。搬送台２４の両側面には、複数の車輪２６〜２８が水平方向の軸廻りに回転可能に支持されている。また、複数の案内輪３０〜３２が垂直方向の軸廻りに回転可能に支持されている。
【００１７】
搬送通路１０にはレール３４が配置されており、レール３４はその断面形状が中空の矩形で、上方が開口されて形成されている。図９に示すように、このレール３４の中空内部に車輪２６〜２８及び案内輪３０〜３２が挿入されて、搬送台２４がレール３４に沿って移動するように構成されている。
【００１８】
搬送台２４には、ワイヤ３６の両端が締結されており、ワイヤ３６は搬送通路１０の両端側に設けられたプーリ３８，４０に張設されている。ワイヤ３６は、更に、図１に示すように、駆動プーリ４２、一対のアイドルプーリ４４，４６、テンションプーリ４８に巻掛けられている。駆動プーリ４２は、駆動モータ５０により回転駆動されるように接続されている。
【００１９】
搬送台２４は、レール３４の外部に垂直に設けられた垂直板部２４ａと、水平に設けられた水平板部２４ｂとを備えている。垂直板部２４ａは搬送通路１０と平行に、垂直に立設されており、水平板部２４ｂは垂直板部２４ａの両側に水平に突出形成されている。水平板部２４ｂには、紙幣４を搬送通路１０の方向と平行に垂直に立てた状態で載置できるように形成されている。
【００２０】
垂直板部２４ａには、図６に示すように、紙幣４の搬送方向後側に、窓２４ｃが形成されており、窓２４ｃには張出部材５２が設けられている。張出部材５２は垂直板部２４ａに揺動可能に支持された揺動軸５４の先端に固定されている。揺動軸５４の下端には、揺動板５６が固定されている。
【００２１】
揺動板５６と垂直板部２４ａとの間には、コイルばね５８が掛けられており、コイルばね５８の付勢力により、揺動板５６が揺動されて、揺動板５６の端面５６ａが垂直板部２４ａに当接して、揺動を規制するように構成されている。この規制された状態では、張出部材５２が図８（イ）に示すように、垂直板部２４ａの両側に張り出した押出位置となり、張出部材５２が紙幣４の後側に当たるように構成されている。
【００２２】
また、揺動板５６には、本実施形態では搬送台２４が駆動モータ５０側に移動する往動方向に対して傾斜した傾斜部５６ｂが形成されている。搬送台２４が往動方向に移動して、往動側端に達する直前の位置には、この傾斜部５６ｂに対応して、摺動部材６０が設けられている。摺動部材６０は、図示しない本体に搬送通路１０と直交する方向に摺動可能に支持されており、コイルばね６２により、搬送通路１０内に突出するように付勢されている。
【００２３】
搬送台２４が往動方向に移動して、往動側端の近傍に達したときには、揺動板５６の傾斜部５６ｂが、摺動部材６０の先端に突き当たって、図８（イ）に示すように、摺動部材６０をコイルばね６２の付勢力に抗して摺動させ、張出部材５２は揺動することなく、そのまま通過する。
【００２４】
搬送台２４が復動する際には、図８（ロ）に示すように、揺動板５６の平坦部５６ｃが摺動部材６０に突き当たって、コイルばね５８の付勢力に抗して、揺動される。そして、張出部材５２が図８（ロ）に示すように、搬送通路１０とほぼ平行になった退避位置で、コイルばね５８の付勢力により保持される。
【００２５】
また、搬送台２４が復動側端の近傍に達したときに、図８（ハ）に示すように、揺動板５６に向かって突出固定されている突出部材６４の先端が、揺動板５６に突き当たって、揺動板５６と共に、張出部材５２を揺動させて、張出部材５２を垂直板部２４ａの両側に張り出させた押出位置に戻すように構成されている。
【００２６】
一方、図９に示すように、搬送通路１０に沿って、搬送台２４の両側には、側板６６，６８が設けられている。側板６６，６８は各保留部８の間にも設けられており、垂直板部２４ａの両側に張り出した状態の張出部材５２と、両側板６６，６８とが干渉しないように、両側板６６，６８が外側に膨出されている。両側板６６，６８は、搬送台２４の水平板部２４ｂに立てて載置された紙幣４が、搬送中に倒れないように、垂直板部２４ａと適度な間隔を開けて設置されている。
【００２７】
次に、本実施形態の紙幣搬送装置の作動について説明する。
まず、図１に示すように、遊技者が投入口６から投入した紙幣４は、図示しないローラの回転により移送されて、図４に示すように、押込ローラ１２，１４の溝１２ａ，１４ａに挿入される。そして、押込ローラ１２，１４が回転されると、図５に示すように、紙幣４は溝１２ａ，１４ａから押し出されて、押込ローラ１２，１４の外周と保持部材１６，１８とにより挟まれた状態で保持される。
【００２８】
続けて紙幣４が投入された場合にも、紙幣４が重ねられた状態で、押込ローラ１２，１４と保持部材１６，１８との間に保持される。他の投入口６に投入される紙幣４も同様であり、各保留部８では、それぞれ投入された紙幣４が、搬送通路１０と平行に、立てた状態で保持され、続けて紙幣４が投入された場合には、複数枚の紙幣４が保留部８に保持される。
【００２９】
駆動モータ５０が駆動されると、ワイヤ３６を介して搬送台２４が搬送通路１０に沿って往動方向に移動される。搬送台２４は、車輪２６〜２８及び案内輪３０〜３２、レール３４により案内されて、搬送通路１０を移動する。移動する際には、張出部材５２は、側板６６，６８の間を垂直板部２４ａから張り出した状態で移動する。
【００３０】
搬送台２４が保留部８を通過する際には、図１０に示すように、張出部材５２が両保持部材１６，１８の間を通りながら、張出部材５２が保留部８に保持されている紙幣４の搬送方向の後側に突き当たって、紙幣４を保留部８から搬送方法前側に向かって押し出す。
【００３１】
紙幣４は保持部材１８上を滑りながら、保持部材１８の延長上に設けられている案内部８ａに突き当たって、案内部８ａにより保持部材１８上から搬送通路１０側に押し出される。搬送通路１０側に押し出された紙幣４は、保持部材１８上から搬送台２４の水平板部２４ｂに移し替えられる。その際、既に搬送台４に載置されている紙幣４に、保留部８から押し出された新たな紙幣４が重ね合わされて合流され、垂直板部２４ａに沿って積層される。
【００３２】
従って、既に搬送台２４に載置されている紙幣４に、搬送通路１０から離れた位置にある保留部８からの新たな紙幣４を重ね合わせて搬送するので、紙幣４同士がぶつかり合うことがなく、紙幣４がくしゃくしゃになって紙幣４のつまりを発生させることがない。
【００３３】
こうして、搬送台２４に押し出された紙幣４は、搬送台２４と共に搬送通路１０を搬送される。搬送台２４が次の保留部８に達すると、再び、張出部材５２が紙幣４の後側に当たって、紙幣４を押し出す。押し出された紙幣４は、保持部材１８上から搬送台２４の水平板部２４ｂに移し替えられ、既に載置されている紙幣４に重ね合わされて、張出部材５２により押されながら搬送台２４と共に搬送通路１０を搬送される。
【００３４】
このように、搬送台２４は保留部８で停止することなく、そのまま移動しながら保留部８の紙幣４が水平板部２４ｂに移し替えられる。従って、保留部８の位置に応じて搬送台２４の停止を制御する必要がなく、保留部８の設置位置の自由度が高い。
【００３５】
そして、搬送台２４が往動側端に達すると、搬送台２４の紙幣４が回収され、次に、駆動モータ５０が逆方向に回転駆動されると、搬送台２４が復動側に移動される。搬送台２４が移動して、揺動板５６が摺動部材６０に突き当たると、揺動板５６が揺動すると共に、張出部材５２が揺動して、ほぼ垂直板部２４ａと平行な退避位置となる。
【００３６】
この状態で、搬送台２４が復動方向に移動し、搬送台２４が保留部８を通過する際には、それまでの間に新たに投入された紙幣４が保留部８に保持されていても、張出部材５２が紙幣に突き当たることはない。こうして、搬送台２４が復動側端にまで達すると、揺動板５６が突出部材６４に突き当たって、揺動される。これにより、張出部材５２も端面５６ａが垂直板部２４ａに当たるまで揺動されて、図８（ハ）に示すように、張出部材５２が垂直板部２４ａの両側に張り出された押出位置となる。駆動モータ５０を正転させると、再び搬送台２４が往動されて、各保留部８に保持された紙幣４が搬送される。
【００３７】
以上本発明はこの様な実施形態に何等限定されるものではなく、本発明の要旨を逸脱しない範囲において種々なる態様で実施し得る。
【００３８】
【発明の効果】
以上詳述したように本発明の紙幣搬送装置は、保留部に応じて搬送台を停止させることなく、搬送台を移動させながら、保留部の紙幣を搬送台に移し替えることができるので、保留部の設置場所の影響を受けることなく、容易に設置することができるという効果を奏する。また、既に搬送台に載置されている紙幣に、搬送通路から離れた位置にある保留部からの新たな紙幣を重ね合わせて搬送するので、紙幣同士がぶつかり合うことがなく、紙幣がくしゃくしゃになって紙幣のつまりを発生させることがなく、搬送通路を最後まで搬送できる。
【図面の簡単な説明】
【図１】本発明の一実施形態としての紙幣搬送装置の概略構成図である。
【図２】本実施形態の保留部と搬送台との一部を破断して示す拡大正面図である。
【図３】本実施形態の保留部の拡大平面図である。
【図４】図２のＡＡ断面図である。
【図５】本実施形態の押込ローラの動作を示す説明図である。
【図６】本実施形態の搬送台の拡大正面図である。
【図７】本実施形態の搬送台の拡大底面図である。
【図８】本実施形態の張出部材の動作を示す説明図である。
【図９】図２のＢＢ断面図である。
【図１０】本実施形態の搬送通路から搬送台上への紙幣の押出を示す説明図である。
【符号の説明】
１…遊技機　　　　　２…貸機
４…紙幣　　　　　　６…投入口
８…保留部　　　　　１０…搬送通路
１２，１４…押込ローラ
１６，１８…保持部材
２３…開閉部材　　　２４…搬送台
２４ａ…垂直板部　　２４ｂ…水平板部
３４…レール　　　　３６…ワイヤ
５０…駆動モータ　　５２…張出部材
５４…揺動軸　　　　５６…揺動板
６０…摺動部材　　　６４…突出部材
６６，６８…側板
【図１】
2004078353.tif 000003
【図２】
2004078353.tif 000004
【図３】
2004078353.tif 000005
【図４】
2004078353.tif 000006
【図５】
2004078353.tif 000007
【図６】
2004078353.tif 000008
【図７】
2004078353.tif 000009
【図８】
2004078353.tif 000010
【図９】
2004078353.tif 000011
【図１０】
2004078353.tif 000012